(57)【要約】      （修正有）【課題】何れか一端が同時に複数のコネクタと電気的に接続することができるケーブルを提供する。【解決手段】ケーブル１００は、２つの絶縁層１２及び２つの絶縁層１２の間に収容される複数の導電端子１４を備える。２つの絶縁層１２は互いに貼り合わされ、複数の収容部１２３及び複数の隔離部１２４が形成され、収容部１２３と前記隔離部は交互に設置され、各収容部１２３には１つの前記導電端子が収容され、各導電端子１４の両端は収容部１２３の両端から突出して、別の部材と電気的に接続でき、近隣する２つの収容部１２３の間に位置し、近隣する２つの収容部１２３に収容された導電端子１４を隔離するケーブル１００において、隔離部１２４には、裂き部１２５が設置され、ケーブルの一端は、外力により少なくとも１つの隔離部１２４の端部の裂き部１２５が２つに裂かれ、１つのケーブルの一端が少なくとも２つのコネクタと電気的に接続される。【選択図】図１
0003188930.tif 000002
【実用新案登録請求の範囲】
【請求項１】
２つの絶縁層、複数の導電端子を備え、前記２つの絶縁層が互いに貼り合わされることで、複数の収容部及び複数の隔離部が形成され、前記収容部と前記隔離部とは交互に設置され、前記収容部は、前記２つの絶縁層が互いに貼り合わされて形成され、各収容部には１つの前記導電端子が収容され、各導電端子の両端は前記収容部の両端から突出して、別の部材と電気的に接続することができ、前記隔離部は、前記２つの絶縁層を互いに貼り合わせることによって形成され、近隣する前記２つの収容部の間に位置して、近隣する前記２つの収容部に収容された前記導電端子を隔離するケーブルにおいて、
前記隔離部には、裂き部が設置され、前記ケーブルの一端は、外力によって少なくとも１つの前記隔離部の端部の裂き部が２つに裂かれ、前記１つのケーブルの一端が少なくとも２つのコネクタと電気的に接続されることを特徴とするケーブル。
【請求項２】
前記隔離部は、複数の裂き部を備え、前記複数の裂き部は、前記隔離部の一端から別の一端に沿って直線に、且つ互いに一定の間隙をあけて設置されることを特徴とする請求項１に記載のケーブル。
【請求項３】
前記複数の裂き部は、ほぼ長さが同じ直線であることを特徴とする請求項２に記載のケーブル。
【請求項４】
前記複数の裂き部は、長さが異なる直線であり、長い直線と短い直線を交互に設置することを特徴とする請求項２に記載のケーブル。
【請求項５】
前記導電端子は、直方体の薄い平板状を呈することを特徴とする請求項１に記載のケーブル。
【請求項６】
前記隔離部は、Ｕ字状を呈し、前記収容部に向けて窪み、前記裂き部は前記隔離部の底部に設置されることを特徴とする請求項１に記載のケーブル。
【請求項７】
前記ケーブルは、柔軟で、扁平なケーブルであることを特徴とする請求項１に記載のケーブル。
【請求項８】
前記裂き部は、前記隔離部を貫通することを特徴とする請求項１に記載のケーブル。
【考案の詳細な説明】
【技術分野】
【０００１】
本考案は、ケーブルに関し、特に柔軟で、扁平なケーブルに関するものである。
【背景技術】
【０００２】
従来、ケーブルはコネクタと電気的に接続されて導電機能を実現する。ケーブルは、２つの絶縁層及び一定の間隙を開けて２つの絶縁層の間に設置された複数の導電端子を備えする。しかし、従来の各絶縁層は、２つの絶縁層と一体化されて分離できないため、ケーブルの各一端は１つのコネクタのみしか電気的に接続できない。
【考案の概要】
【考案が解決しようとする課題】
【０００３】
以上の問題点に鑑みて、本考案は、何れか一端が同時に複数のコネクタと電気的に接続することができるケーブルを提供することを目的とする。
【課題を解決するための手段】
【０００４】
上記の課題を解決するために、本考案のケーブルは、２つの絶縁層及び複数の導電端子を備える。前記２つの絶縁層は互いに貼り合わされ、複数の収容部及び複数の隔離部が形成され、前記収容部と前記隔離部とは交互に設置され、前記収容部は、前記２つの絶縁層が互いに貼り合わされることによって形成され、各収容部には１つの前記導電端子が収容され、各導電端子の両端は前記収容部の両端から突出して、別の部材と電気的に接続することができ、前記隔離部は、前記２つの絶縁層を互いに貼り合わせることによって形成されて、近隣する前記２つの収容部の間に位置して、近隣する前記２つの収容部に収容された前記導電端子を隔離するケーブルにおいて、前記隔離部には、裂き部が設置され、前記ケーブルの一端は、外力によって少なくとも１つの前記隔離部の端部の裂き部が２つに裂かれ、１つのケーブルの一端が少なくとも２つのコネクタと電気的に接続される。
【考案の効果】
【０００５】
本考案のケーブルは、前記ケーブルの一端が外力によって、少なくとも１つの前記隔離部の端部の裂き部を２つに裂くことができる。これにより、１つのケーブルの一端は少なくとも２つのコネクタと電気的に接続できるので、別のケーブルを必要とせず便利である。
【図面の簡単な説明】
【０００６】
【図１】本考案に係るケーブルの斜視図である。
【図２】図１に示したケーブルの分解図である。
【図３】図１に示したケーブルの使用状態を示す図である。
【考案を実施するための形態】
【０００７】
以下、図面に基づいて、本考案に係るケーブルについて詳細に説明する。図１及び図２に示したように、ケーブル１００は、コネクタ（図示せず）と電気的に接続される。ケーブル１００は、２つの絶縁層１２及び２つの絶縁層１２の間に収容される複数の導電端子１４を備える。本実施形態において、ケーブル１００は、柔軟で、扁平なケーブルである。
【０００８】
各絶縁層１２は、直方体の薄い平板状を呈す。２つの絶縁層１２が互いに貼り合わされることで、複数の収容部１２３及び複数の隔離部１２４が形成される。収容部１２３と隔離部１２４とは交互に設置される。収容部１２３は、２つの絶縁層１２が互いに貼り合わされて形成され、且つ導電端子１４と組み合わされる。隔離部１２４は、２つの絶縁層１２が互いに貼り合わされて形成され、近隣する２つの収容部１２３の間に位置して、近隣する２つの収容部１２３に収容された導電端子１４を隔離する。隔離部１２４は、略Ｕ字状を呈し、収容部１２３に向けて窪んでいる。隔離部１２４には、一定の間隙をあけて複数の裂き部１２５が設置されている。複数の裂き部１２５は、隔離部１２４の一端から別の一端に沿って直線に、且つ互いに一定の間隙をあけて設置されている。裂き部１２５は、隔離部１２４を貫通している。本実施形態において、複数の裂き部１２５は、長さがほぼ同じである直線である。他の実施形態において、複数の裂き部１２５は、長さが異なる直線であり、長い直線と短い直線とを交互に設置することができる。例えば、１つの長い直線、１つの短い直線、１つの長い直線の順で配置する或いは２つの長い直線、２つの短い直線、２つの長い直線の順で配置する。また、裂き部１２５は直線ではなく、曲線であっても良い。
【０００９】
導電端子１４は、直方体の薄い平板状を呈す。複数の導電端子１４は、互いに平行して、且つ互いに等間隔に収容部１２３の内に設置される。また、各導電端子１４の両端は収容部１２３の両端からそれぞれ突出して、別の部材と電気的に接続される。
【００１０】
図３に示したように、外力によって、ケーブルの少なくとも１つの隔離部１２４の端部の裂き部１２５を２つに引き裂く。これにより、１つのケーブル１００の一端は少なくとも２つのコネクタと電気的に接続することができる。
【符号の説明】
【００１１】
１００  ケーブル
１２  絶縁層
１２３  収容部
１２４  隔離部
１２５  裂き部
１４  導電端子
【図１】
0003188930.tif 000003
【図２】
0003188930.tif 000004
【図３】
0003188930.tif 000005